(57)【要約】      （修正有）【課題】特に船釣りにおいて、容易に餌ボール内より餌を取り出すことを可能にするとともに足元を広くできる船釣り用餌ボール受けを提供すること。【解決手段】餌ボール１２の側壁から底部における周縁部近傍に至る部分に当接可能な形状としたボール受け部３と該ボール受け部３がその任意の箇所で連設されたスライドプレート４とを具備する支持部材本体６と、該支持部材本体６の任意の箇所に回動自在に装着した、ボール受け部３に餌ボール１２を固定するための固定レバー５と、を具備する支持部材２と、スライドプレート４の下面に当接された、船べり１３を挟持可能な挟持手段８を備えたベース金具６と、該ベース金具６に前記スライドプレート４を固定するために用いる固定手段７と、を具備した。【選択図】図１
0003105189.tif 000002
【実用新案登録請求の範囲】
【請求項１】
餌ボール（１２）の側壁から底部における周縁部近傍に至る部分に当接可能な形状としたボール受け部（３）と該ボール受け部（３）がその任意の箇所で連設されたスライドプレート（４）とを具備する支持部材本体（６）と、該支持部材本体（６）の任意の箇所に回動自在に装着した、前記ボール受け部（３）に餌ボール（１２）を固定するための固定レバー（５）と、を具備する支持部材（２）と、
前記スライドプレート（４）の下面に当接された、船べり（１３）を挟持可能な挟持手段（９）を備えたベース金具（７）と、
該ベース金具（７）に前記スライドプレート（４）を固定するために用いる固定手段（８）と、
を具備したことを特徴とする船釣り用餌ボール受け。
【考案の詳細な説明】
【技術分野】
【０００１】
本考案は、船釣り用餌ボール受けに係り、より詳しくは、餌ボールを船べりに固定可能とした船釣り用餌ボール受けに関する。
【背景技術】
【０００２】
一般的に船釣りにおいては、足元に餌ボールを置いておき、針に餌を付ける際には、足元に置いた餌ボールより餌を取り出している。
【考案の開示】
【考案が解決しようとする課題】
【０００３】
ところで、このように足元に置いた餌ボールより餌を取り出す場合には、その度毎に腰をかがめて手を下までのばさなければならず、煩わしさに耐えないとともに腰を痛めてしまうおそれもある。
【０００４】
また、餌ボールを単に足元に置いていた場合には、船の揺れ等によって餌ボールが移動してしまうという不都合もある。
【０００５】
更に、餌ボールを足元に置いていた場合には、足元が狭くなるとともに餌ボールが邪魔になるという問題点もある。
【０００６】
その一方、餌ボールを、例えば腰のあたりに取り付けたのでは、餌の取り出しが面倒になってしまうという問題点が考えられる。
【０００７】
そこで、本考案は、特に船釣りにおいて、容易に餌ボール内より餌を取り出すことを可能にするとともに餌ボールが邪魔になることを防止可能にした船釣り用餌ボール受けを提供することを課題としている。
【課題を解決するための手段】
【０００８】
本考案の船釣り用餌ボール受けは、餌ボールの側壁から底部における周縁部近傍に至る部分に当接可能な形状としたボール受け部と該ボール受け部がその任意の箇所で連設されたスライドプレートとを具備する支持部材本体と、該支持部材本体の任意の箇所に回動自在に装着した、前記ボール受け部に餌ボールを固定するための固定レバーと、を具備する支持部材と、
前記スライドプレートの下面に当接された、船べりを挟持可能な挟持手段を備えたベース金具と、
該ベース金具に前記スライドプレートを固定するために用いる固定手段と、を具備したことを特徴としている。
【考案の効果】
【０００９】
本考案の船釣り用餌ボール受けでは、餌ボールを固定可能な支持部材を有するとともに、この支持部材は、固定手段によって、船べりを挟持可能な挟持手段を備えたベース金具に固定可能としているため、支持部材によって餌ボールを支持した状態で、かつこの支持部材をベース金具に固定した状態で、ベース金具を船べりに固定することにより、餌ボールを船べりに固定することができる。
【００１０】
従って、本考案を用いることにより、従来は足元に置いていた餌ボールを船べりに固定することができ、餌を取り出す際に腰をかがめる必要がなくなり餌の取り出しが容易になるとともに、船の揺れ等によって餌ボールが移動してしまうことも有効に防止可能であり、更に、餌ボールを船べりに固定するために、餌ボールが邪魔になることがなく、足元が広くなるという利点がある。
【考案を実施するための最良の形態】
【００１１】
本考案の船釣り用餌ボール受けでは、餌ボールを支持するための支持部材を有しており、この支持部材は、餌ボールの側壁から底部における周縁部近傍に至る部分に当接可能な形状とすることにより餌ボールをその側壁から底部における周縁部近傍に至る部分において支持可能としたボール受け部とこのボール受け部が連設されたスライドプレートとを具備した支持部材本体と、この支持部材本体における任意の箇所に回動自在に装着され、これを回動することによって、前記ボール受け部により支持された餌ボールをボール受け部側に押圧可能とした固定レバーにより構成されている。
【００１２】
そして、スライドプレートの下面にはベース金具が当接されており、このベース金具は、船べりを挟持可能な挟持手段を備えるとともに、固定ナット等によって、前記スライドプレートに固定可能としている。
【実施例１】
【００１３】
本考案の船釣り用餌ボール受け（以下単に「餌ボール受け」という。）の実施例について図面を参照して説明すると、図１は本実施例の餌ボール受けを示す斜視図であり、図において１が本実施例の餌ボール受けである。
【００１４】
そして、本実施例の餌ボール受け１は、餌ボールをその側壁部及び底部における周縁部で支持するためのボール受け部を備えている。
【００１５】
即ち、図において３がボール受け部であり、このボール受け部３は、餌ボールの側壁部の形状に対応させた側壁支持部３０１と、この側壁支持部３０１の下端側に連設した、餌ボールにおける側壁の下端部近傍から底部の周縁部にかけた形状に対応させた底部支持部３０２とを有しており、これにより、ボール受け部３を餌ボールの側壁から底部周縁部に至る部分に当接可能としている。
【００１６】
ここで、一般的に餌ボールは、上端を外周側に延出させるとともに、この延出させた部分の裏面任意の箇所には、補強用のリブが連設されているため、本実施例における前記ボール受け部３では、上端部に、前記リブが嵌合する嵌合溝３０３を形成している。
【００１７】
また、餌ボールにおける底部表面には一般的に、餌ボールを任意の箇所に設置し易くするために、その底部の周縁部近傍における全域に縁部を連設してあるために、何ら手当てをしない場合には、縁部が障害になり、底部支持部３０２を餌ボールの底部に当接させることが困難となってしまう。そこで、本実施例における前記ボール受け部３では、底部支持部３０２の先端側には、ボール受け部３を餌ボールの側壁から底部周縁部に至る部分に当接する際に前記縁部を逃がすための凹部３０４を形成し、これにより、底部支持部３０２を餌ボールに当接させる際に縁部が障害になることを防止可能としている。
【００１８】
次に、前記ボール受け部３は、その上端部よりわずかに下に下がった部分近傍において、その中間部分近傍において長孔４０１が形成されたスライドプレート４に連設されており、前記ボール受け部３とスライドプレート４とにより支持部材本体６が構成されている。
【００１９】
また、前記スライドプレート４の任意の箇所には、固定用レバー５が回動自在に装着されており、この固定用レバー５は、前記スライドプレート４における両側壁に連結される一対の脚部５０１と、この一対の脚部５０１をその先端部近傍で連通する連通部５０２とを有しており、図１に示すように、これを前記ボール受け部３側に回動した際に、ボール受け部３が、一対の脚部５０１と連通部５０２により形成される空間内に収容可能な寸法としている。
【００２０】
そして、本実施例では、前記支持部材本体６と固定用レバー５によって、餌ボールを支持するための支持部材２を構成している。
【００２１】
なお、固定レバー５は、スプリング等により、ボール受け部３に回動する方向へ付勢しておいてもよい。また、固定用レバー５は必ずしもスライドプレート４に装着する必要は無く、ボール受け部３に回動自在に装着してもよい。
【００２２】
次に、本実施例における餌ボール受けでは、前記スライドプレート４の下面にベース金具７が当接されており、このベース金具７に対して前記スライドプレート４をスライド自在としている。
【００２３】
また、ベース金具７の任意の箇所には貫通孔７０１（図３参照）が形成されており、前記スライドプレート４に形成した長孔４０１とベース金具７に形成した貫通孔７０１を固定ナット８によって貫通することにより、ベース金具７にスライドプレート４を固定可能にしており、更にその際、スライドプレート４に形成した長孔４０１における固定ナット８が貫通する位置を調節することにより、ベース金具７に対する支持部材２の位置を任意にすることを可能としている。
【００２４】
次に、前記ベース金具７には、スライドプレート４が移動する方向に向けた両端にそれぞれ、下側に向けて挟持片９ａ、９ｂが連設されており、この一対とした挟持片９ａ、９ｂによって、前記ベース金具７を船べりに固定するための挟持部９が構成されている。
【００２５】
従って、本実施例の餌ボール受け１では、ベース金具７に支持部材３を固定した状態で、前記挟持部９によって船べりを挟持することにより、餌ボール受け１を船べりに固定することが可能となる。
【００２６】
なお、図１において１０は固定ネジであり、即ち、本実施例においては、ボール受け部３と反対側に位置する前記挟持片９ａにネジ孔９０１を形成し、このネジ孔９０１を固定ネジ１０により貫通するとともに、この固定ネジ１０の先端側に、対向する挟持部９ｂ側に向けて略ギザギザ状とした押え金具１１を装着している。
【００２７】
また、図３において９０２は、支持部材２側の挟持片９ｂに形成した突起部であり、即ち、本実施例においては、前記挟持片９ｂの、挟持部９で船べりを挟持した際に船べり側となる面の下端部近傍における任意の箇所に、略円錐状の突起部９０２を１個又は複数個形成しており、これにより、前記押え金具１１とともに、ベース金具７を強固に船べりに固定可能としている。
【００２８】
次に、このように構成される本実施例の餌ボール受け１の使用方法について説明すると、図２は、本実施例の餌ボール受けで餌ボール１２を支持するとともに、その状態の餌ボール受け１を船べり１３に装着した状態を示す図であり、また、図３は、餌ボール１２を支持した状態における本実施例の餌ボール受け１を側面から示した図であり、更に図４は、図３の状態を上面から示した図である。
【００２９】
そして、図に示されるように、本実施例の餌ボール受け１を使用する場合には、まず、挟持部９によって船べり１３を挟持するとともに、その際に固定ネジ１０を船べり１３側に進めて、固定ネジ１０先端の押え金具１１で船べり１３を押圧し、これにより、餌ボール受け１を船べり１３に装着固定する。
【００３０】
次に、それとともに、ボール受け部３に餌ボール１２の側壁部から底部周縁にかけた部分を当接させるとともに、固定レバー５をボール受け部３側に回動しつつ、餌ボール１２の上端を固定レーバー５の先端部近傍で下側に向けて押える。そして適宜、固定ナット８によってベース金具７に対する支持部材２の位置を調節する。
【００３１】
そうすると、餌ボール１２を本実施例の餌ボール受け１で支持することが可能となり、即ち、船べり１３に餌ボール１２を固定することが可能となり、餌を取り出す際に腰をかがめる必要も無くなり、また、船が揺れた場合でも餌ボール１２が移動してしまうことを有効に防止することができ、更に、足元に餌ボールを置いていた従来の方法と異なり、餌ボールが邪魔になることがないとともに足元が広くなるという利点がある。
【００３２】
このように、本実施例の餌ボール受けを用いることにより、特に船釣りにおいて、餌を取り出す動作を容易にすることが可能となるとともに、餌ボールが邪魔になることが無く、足元が広くなる。
【産業上の利用可能性】
【００３３】
本考案の餌ボール受けでは、餌ボールを船べりに固定することが可能となるために、船釣りに限らず、餌ボールを用いる釣りの全般に適用可能である。
【図面の簡単な説明】
【００３４】
【図１】本考案の餌ボール受けの実施例を示す斜視図である。
【図２】本考案の餌ボール受けの実施例の使用状態を示す斜視図である。
【図３】本考案の餌ボール受けの実施例の使用状態を示す側面図である。
【図４】本考案の餌ボール受けの実施例の使用状態を示す平面図である。
【符号の説明】
【００３５】
１    餌ボール受け
２    支持部材
３    ボール受け部
３０１    側壁支持部
３０２    底部支持部
３０３    嵌合溝
３０４    凹部
４    スライドプレート
４０１    長孔
５    固定用レバー
５０１    脚部
５０２    連通部
６    支持部材本体
７    ベース金具
８    固定ナット
９    挟持部
９０１    ネジ孔
９０２    突起部
１０    固定ネジ
１１    押え金具
１２    餌ボール
１３    船べり
【図１】
0003105189.tif 000003
【図２】
0003105189.tif 000004
【図３】
0003105189.tif 000005
【図４】
0003105189.tif 000006
【手続補正書】
【提出日】平成16年7月6日(2004.7.6)
【手続補正１】
【補正対象書類名】実用新案登録請求の範囲
【補正対象項目名】全文
【補正方法】変更
【補正の内容】
【実用新案登録請求の範囲】
【請求項１】
餌ボール（１２）の側壁から底部における周縁部近傍に至る部分に当接可能な形状としたボール受け部（３）と該ボール受け部（３）の裏面に連設されたスライドプレート（４）とを具備する支持部材本体（６）と、該支持部材本体（６）における前記スライドプレート（４）またはボール受け部（３）に回動自在に装着した、前記ボール受け部（３）に餌ボール（１２）を固定するための固定レバー（５）と、を具備する支持部材（２）と、
前記スライドプレート（４）の下面に当接された、船べり（１３）を挟持可能な挟持手段（９）を備えたベース金具（７）と、
該ベース金具（７）に前記スライドプレート（４）を固定するために用いる固定手段（８）と、
を具備したことを特徴とする船釣り用餌ボール受け。
【手続補正２】
【補正対象書類名】明細書
【補正対象項目名】０００８
【補正方法】変更
【補正の内容】
【０００８】
本考案の船釣り用餌ボール受けは、餌ボールの側壁から底部における周縁部近傍に至る部分に当接可能な形状としたボール受け部と該ボール受け部の裏面に連設されたスライドプレートとを具備する支持部材本体と、該支持部材本体におけるスライドプレートまたはボール受け部に回動自在に装着した、前記ボール受け部に餌ボールを固定するための固定レバーと、を具備する支持部材と、
前記スライドプレートの下面に当接された、船べりを挟持可能な挟持手段を備えたベース金具と、
該ベース金具に前記スライドプレートを固定するために用いる固定手段と、を具備したことを特徴としている。
【手続補正３】
【補正対象書類名】明細書
【補正対象項目名】００１１
【補正方法】変更
【補正の内容】
【００１１】
本考案の船釣り用餌ボール受けでは、餌ボールを支持するための支持部材を有しており、この支持部材は、餌ボールの側壁から底部における周縁部近傍に至る部分に当接可能な形状とすることにより餌ボールをその側壁から底部における周縁部近傍に至る部分において支持可能としたボール受け部と、このボール受け部の裏面に連接されたスライドプレートとを具備した支持部材本体と、この支持部材本体におけるスライドプレートまたはボール受け部に回動自在に装着され、これを回動することによって、前記ボール受け部により支持された餌ボールをボール受け部側に押圧可能とした固定レバーにより構成されている。